(57)【要約】【課題】簡易な構成でありながらも減衰周波数を変化させられるようにして、通過帯域を調整できるチューナブル帯域通過フィルタと、その通過帯域を調整する方法を提供すること。【解決手段】下面にグランド層を有する誘電体の高周波回路基板と、その高周波回路基板の上面に設けられるマイクロストリップ線路と、そのマイクロストリップ線路に接続され、高周波を入出力する入出力線路とを備えた高周波帯広帯域の帯域通過フィルタにおいて、  そのマイクロストリップ線路の両端部にキャパシタと中央部に短絡キャパシタを設け、通過帯域を調整可能にする。【選択図】図１
2015019301.tif 000002
【特許請求の範囲】
【請求項１】
下面にグランド層を有する誘電体の高周波回路基板と、その高周波回路基板の上面に設けられるマイクロストリップ線路と、そのマイクロストリップ線路に接続され、高周波を入出力する入出力線路とを備えた高周波帯広帯域の帯域通過フィルタにおいて、
そのマイクロストリップ線路の両端部にキャパシタと中央部に短絡キャパシタを設け、通過帯域を調整可能にした
ことを特徴とするチューナブル帯域通過フィルタ。
【請求項２】
マイクロストリップ線路の両端部のキャパシタが容量可変であり、低域及び高域の減衰周波数が調整可能である
請求項１に記載のチューナブル帯域通過フィルタ。  
【請求項３】
マイクロストリップ線路の中央部の短絡キャパシタが容量可変であり、高域の減衰周波数が調整可能である
請求項１または２に記載のチューナブル帯域通過フィルタ。  
【請求項４】
３ｄＢ通過帯域周波数が、次式を満たす周波数である  請求項１ないし３のいずれかに記載のチューナブル帯域通過フィルタ。    
【数１】
2015019301.tif 000009
（ただし、    
【数２】
2015019301.tif 000010
Ｚはマイクロストリップ線路の特性インピーダンス、θはマイクロストリップ線路の電気角、Ｚ0は外部インピーダンス、Ｃはマイクロストリップ線路の両端部のキャパシタの容量値、Ｃtはマイクロストリップ線路の中央部の短絡キャパシタの容量値）  
【請求項５】
通過中心周波数が、次式を満たす周波数である  請求項１ないし４のいずれかに記載のチューナブル帯域通過フィルタ。    
【数３】
2015019301.tif 000011
【請求項６】
下面にグランド層を有する誘電体の高周波回路基板と、その高周波回路基板の上面に設けられるマイクロストリップ線路と、そのマイクロストリップ線路に接続され、高周波を入出力する入出力線路とを備え、かつ、そのマイクロストリップ線路の両端にキャパシタと中央部に短絡キャパシタを設けた高周波帯広帯域の帯域通過フィルタにおいて、
マイクロストリップ線路の両端部のキャパシタの容量を増加させて、低域及び高域の減衰周波数を共に減少させるか、
マイクロストリップ線路の両端部のキャパシタの容量を減少させて、低域及び高域の減衰周波数を共に増加させる
ことを特徴とするチューナブル帯域通過フィルタの調整方法。
【請求項７】
下面にグランド層を有する誘電体の高周波回路基板と、その高周波回路基板の上面に設けられるマイクロストリップ線路と、そのマイクロストリップ線路に接続され、高周波を入出力する入出力線路とを備え、かつ、そのマイクロストリップ線路の両端にキャパシタと中央部に短絡キャパシタを設けた高周波帯広帯域の帯域通過フィルタにおいて、
マイクロストリップ線路の中央部の短絡キャパシタの容量を増加させて、低域の減衰周波数は一定のまま、高域の減衰周波数を減少させるか、
マイクロストリップ線路の中央部の短絡キャパシタの容量を減少させて、低域の減衰周波数は一定のまま、高域の減衰周波数を増加させる
ことを特徴とするチューナブル帯域通過フィルタの調整方法。
【請求項８】
下面にグランド層を有する誘電体の高周波回路基板と、その高周波回路基板の上面に設けられるマイクロストリップ線路と、そのマイクロストリップ線路に接続され、高周波を入出力する入出力線路とを備え、かつ、そのマイクロストリップ線路の両端にキャパシタと中央部に短絡キャパシタを設けた高周波帯広帯域の帯域通過フィルタにおいて、
マイクロストリップ線路の両端部のキャパシタの容量を減少させると共に、マイクロストリップ線路の中央部の短絡キャパシタの容量を増加させて、通過中心周波数を一定にしたまま通過帯域幅を小さくするか、
マイクロストリップ線路の両端部のキャパシタの容量を増加させると共に、マイクロストリップ線路の中央部の短絡キャパシタの容量を減少させて、通過中心周波数を一定にしたまま通過帯域幅を大きくする
ことを特徴とするチューナブル帯域通過フィルタの調整方法。
【請求項９】
下面にグランド層を有する誘電体の高周波回路基板と、その高周波回路基板の上面に設けられるマイクロストリップ線路と、そのマイクロストリップ線路に接続され、高周波を入出力する入出力線路とを備え、かつ、そのマイクロストリップ線路の両端にキャパシタと中央部に短絡キャパシタを設けた高周波帯広帯域の帯域通過フィルタにおいて、
マイクロストリップ線路の両端部のキャパシタの容量を増加させると共に、マイクロストリップ線路の中央部の短絡キャパシタの容量は一定として、通過帯域幅は一定のまま、通過中心周波数を減少させるか、
マイクロストリップ線路の両端部のキャパシタの容量を減少させると共に、マイクロストリップ線路の中央部の短絡キャパシタの容量は一定として、通過帯域幅は一定のまま、通過中心周波数を増加させる
ことを特徴とするチューナブル帯域通過フィルタの調整方法。
【発明の詳細な説明】
【技術分野】
【０００１】
本発明は、高周波信号の周波数成分の中で特定の周波数帯域の高周波信号を通過させ、それ以外の高周波信号を減衰させる帯域通過フィルタ（Band Pass Filter）に関する。特に、高速・大容量通信における使用周波数が過密な周波数領域の通信において、動作周波数を任意に選んで通信を行うコグニティブ無線やソフトウェア無線への適用が可能な帯域通過フィルタである。
【背景技術】
【０００２】
近年、１〜５ＧＨｚ帯の移動通信システムが展開されるようになり、この帯域に対応可能な高周波回路のマイクロ波集積回路化やモノシリックマイクロ波集積回路化が要求されている。周波数がＧＨｚの領域に対応可能な、一般にＱ値（主に振動の状態をあらわす無次元数）の大きなインダクタ素子を作ることは難しい。そのため、ＧＨｚ帯の帯域通過フィルタは、ＬＣ共振器とは異なる構成が必要になる。例えば、共振器や、デュアルモード・バンドパスフィルタとして動作させるための共振器電極などが用いられている（特許文献１〜４）。
【０００３】
有限資源である周波数を有効に使うためには、使用していない周波数を瞬時に識別し、その未使用周波数で通信を行なうことが重要である。しかし、特許文献１〜４などによる従来のフィルタ技術では、フィルタの周波数特性を変更することが困難である。
【先行技術文献】
【特許文献】
【０００４】
【特許文献１】特開２００７−６８１２３号公報
【特許文献２】特開２００４−１３４８９４号公報
【特許文献３】特開２００４−１３５１０２号公報
【特許文献４】特開２００４−３４９９６０号公報
【発明の概要】
【発明が解決しようとする課題】
【０００５】
そこで、本発明は、簡易な構成でありながらも減衰周波数を変化させられるようにして、通過帯域を調整できるチューナブル帯域通過フィルタと、その通過帯域を調整する方法を提供することを課題とする。
【課題を解決するための手段】
【０００６】
上記課題を解決するため、本発明のチューナブル帯域通過フィルタは次の構成を備える。すなわち、下面にグランド層を有する誘電体の高周波回路基板と、その高周波回路基板の上面に設けられるマイクロストリップ線路と、そのマイクロストリップ線路に接続され、高周波を入出力する入出力線路とを備えた高周波帯広帯域の帯域通過フィルタにおいて、  そのマイクロストリップ線路の両端部にキャパシタと中央部に短絡キャパシタを設け、通過帯域を調整可能にしたことを特徴とする。
【０００７】
ここで、マイクロストリップ線路の両端部のキャパシタを容量可変な構成にして、低域及び高域の減衰周波数を調整可能にしてもよい。
【０００８】
マイクロストリップ線路の中央部の短絡キャパシタを容量可変な構成にして、高域の減衰周波数を調整可能にしてもよい。
【０００９】
３ｄＢ通過帯域周波数としては、次式を満たす周波数の構成が好適である。  
【００１０】
【数１】
2015019301.tif 000003
【００１１】
（ただし、  
【００１２】
【数２】
2015019301.tif 000004
【００１３】
Ｚはマイクロストリップ線路の特性インピーダンス、θはマイクロストリップ線路の電気角、Ｚ0は外部インピーダンス、Ｃはマイクロストリップ線路の両端部のキャパシタの容量値、Ｃtはマイクロストリップ線路の中央部の短絡キャパシタの容量値）  
【００１４】
通過中心周波数としては、次式を満たす周波数の構成が好適である。  
【００１５】
【数３】
2015019301.tif 000005
【００１６】
本発明のチューナブル帯域通過フィルタの調整方法は、以下の構成を備える。
すなわち、下面にグランド層を有する誘電体の高周波回路基板と、その高周波回路基板の上面に設けられるマイクロストリップ線路と、そのマイクロストリップ線路に接続され、高周波を入出力する入出力線路とを備え、かつ、そのマイクロストリップ線路の両端にキャパシタと中央部に短絡キャパシタを設けた高周波帯広帯域の帯域通過フィルタにおいて、  マイクロストリップ線路の両端部のキャパシタの容量を増加させて、低域及び高域の減衰周波数を共に減少させるか、マイクロストリップ線路の両端部のキャパシタの容量を減少させて、低域及び高域の減衰周波数を共に増加させる。
【００１７】
また、下面にグランド層を有する誘電体の高周波回路基板と、その高周波回路基板の上面に設けられるマイクロストリップ線路と、そのマイクロストリップ線路に接続され、高周波を入出力する入出力線路とを備え、かつ、そのマイクロストリップ線路の両端にキャパシタと中央部に短絡キャパシタを設けた高周波帯広帯域の帯域通過フィルタにおいて、  マイクロストリップ線路の中央部の短絡キャパシタの容量を増加させて、低域の減衰周波数は一定のまま、高域の減衰周波数を減少させるか、マイクロストリップ線路の中央部の短絡キャパシタの容量を減少させて、低域の減衰周波数は一定のまま、高域の減衰周波数を増加させてもよい。  
【００１８】
下面にグランド層を有する誘電体の高周波回路基板と、その高周波回路基板の上面に設けられるマイクロストリップ線路と、そのマイクロストリップ線路に接続され、高周波を入出力する入出力線路とを備え、かつ、そのマイクロストリップ線路の両端にキャパシタと中央部に短絡キャパシタを設けた高周波帯広帯域の帯域通過フィルタにおいて、マイクロストリップ線路の両端部のキャパシタの容量を減少させると共に、マイクロストリップ線路の中央部の短絡キャパシタの容量を増加させて、通過中心周波数を一定にしたまま通過帯域幅を小さくするか、マイクロストリップ線路の両端部のキャパシタの容量を増加させると共に、マイクロストリップ線路の中央部の短絡キャパシタの容量を減少させて、通過中心周波数を一定にしたまま通過帯域幅を大きくしてもよい。
【００１９】
下面にグランド層を有する誘電体の高周波回路基板と、その高周波回路基板の上面に設けられるマイクロストリップ線路と、そのマイクロストリップ線路に接続され、高周波を入出力する入出力線路とを備え、かつ、そのマイクロストリップ線路の両端にキャパシタと中央部に短絡キャパシタを設けた高周波帯広帯域の帯域通過フィルタにおいて、マイクロストリップ線路の両端部のキャパシタの容量を増加させると共に、マイクロストリップ線路の中央部の短絡キャパシタの容量は一定として、通過帯域幅は一定のまま、通過中心周波数を減少させるか、マイクロストリップ線路の両端部のキャパシタの容量を減少させると共に、マイクロストリップ線路の中央部の短絡キャパシタの容量は一定として、通過帯域幅は一定のまま、通過中心周波数を増加させてもよい。
【発明の効果】
【００２０】
本発明によると、マイクロストリップ線路を用いるために製造容易で小型安価でありながらも性能が安定し、キャパシタの容量値を変化させることにより、通過中心周波数や通過帯域幅を自在に設定することができるので、有用なチューナブル帯域通過フィルタが実現する。
【図面の簡単な説明】
【００２１】
【図１】本発明による帯域通過フィルタの原理を示す説明図
【図２】本発明の実施例による帯域通過フィルタの特性を示すグラフ
【図３】マイクロストリップ線路の中央部のチューニングキャパシタの容量値Ｃtを変化させた場合、帯域通過フィルタの伝達周波数特性の変化を示すグラフ
【図４】マイクロストリップ線路の中央部のチューニングキャパシタの容量値Ｃtを変化させた場合、帯域通過フィルタの低域及び高域の減衰周波数の変化を示すグラフ
【図５】マイクロストリップ線路の中央部の短絡チューニングキャパシタの容量値Ｃtを増加させることで、低域の減衰周波数ｆ１は一定のまま、高域の減衰周波数ｆ２を減少させ、また、マイクロストリップ線路の中央部の短絡チューニングキャパシタの容量値Ｃtを減少させて、低域の減衰周波数ｆ１は一定のまま、高域の減衰周波数ｆ２を増加させた例を示すグラフ
【図６】マイクロストリップ線路の両端部のチューニングキャパシタの容量値Ｃを変化させた場合、帯域通過フィルタの低域及び高域の減衰周波数の変化を示すグラフ
【図７】マイクロストリップ線路の両端部のチューニングキャパシタの容量値Ｃを増加させることで、低域及び高域の減衰周波数ｆ１，ｆ２を減少させ、また、マイクロストリップ線路の両端部のチューニングキャパシタの容量値Ｃを減少させて、低域及び高域の減衰周波数ｆ１，ｆ２を増加させた例を示すグラフ
【図８】マイクロストリップ線路の両端部のキャパシタの容量値Ｃを減少させると共に、マイクロストリップ線路の中央部の短絡キャパシタの容量値Ｃtを増加させることによって、通過中心周波数を一定にしたまま、通過帯域幅を小さくし、また、マイクロストリップ線路の両端部のキャパシタの容量値Ｃを増加させると共に、マイクロストリップ線路の中央部の短絡キャパシタの容量値Ｃtを減少させることによって、通過中心周波数を一定にしたまま、通過帯域幅を大きくした例を示すグラフ
【図９】３ｄＢ通過帯域幅の定義を示す説明図
【図１０】３ｄＢ比帯域周波数決定方程式の確認例を示すグラフ
【図１１】整合周波数決定方程式の確認例を示すグラフ
【発明を実施するための最良の形態】
【００２２】
以下、添付図面を参照して、本発明によるチューナブル帯域通過フィルタの好適な実施形態を説明する。実施形態は、本発明の趣旨から逸脱しない範囲で、上記特許文献などの従来技術を援用して適宜設計変更可能である。
【００２３】
図１は、本発明による帯域通過フィルタの原理を示す説明図である。
本発明による帯域通過フィルタは、下面にグランド層を有する誘電体の高周波回路基板と、その高周波回路基板の上面に設けられるマイクロストリップ線路と、そのマイクロストリップ線路に接続され、高周波を入出力する入出力線路とを備えた高周波帯広帯域の帯域通過フィルタにおいて、更に、そのマイクロストリップ線路の両端にチューニングキャパシタと中央部に短絡のチューニングキャパシタを備える。
マイクロストリップ線路の長さは、λ／４（波長λは、電気角では３６０度に対応）などでよく、これにチューニングキャパシタを付設するだけなので、小型で簡易な構成である。
【００２４】
マイクロストリップ線路の両端部に設けられるキャパシタも、中央部に設けられるキャパシタも、取り替え可能な定容量のキャパシタでもよいが、容量可変なキャパシタが好ましい。
マイクロストリップ線路の両端部のチューニングキャパシタは、その容量によって、低域及び高域の減衰周波数の調整に寄与し、マイクロストリップ線路の中央部のチューニングキャパシタは、その容量によって、高域の減衰周波数の調整に寄与する。これにより通過中心周波数や通過帯域幅を自在に変化させられるので、コグニティブ無線やソフトウェア無線に寄与する。
【００２５】
図２は、本発明の実施例による帯域通過フィルタの特性を示すグラフである。横軸は周波数（単位ＧＨｚ）をあらわし、縦軸は伝達特性（単位ｄＢ）をあらわし、Ｓ２１は通過特性を示している。本実施例における通過信号の中心周波数は、携帯電話で使われる２ＧＨｚ帯を想定している。
【００２６】
図３は、マイクロストリップ線路の中央部のチューニングキャパシタの容量値Ｃtを変化させた場合、帯域通過フィルタの伝達周波数特性の変化を示すグラフであり、図４は、同様に中央部のチューニングキャパシタの容量値Ｃtを変化させた場合、帯域通過フィルタの低域及び高域の減衰周波数の変化を示すグラフである。
マイクロストリップ線路の中央部のチューニングキャパシタの容量値Ｃtを変化させると、低域の減衰周波数ｆ１は一定であるが、高域の減衰周波数ｆ２が変化する。
具体的には、マイクロストリップ線路の中央部のチューニングキャパシタの容量値Ｃtが増加すると、高域の減衰周波数ｆ２が減少する。
【００２７】
そのため、マイクロストリップ線路の中央部の短絡チューニングキャパシタの容量値Ｃtを増加させることで、低域の減衰周波数ｆ１は一定のまま、高域の減衰周波数ｆ２を減少させるか、または、マイクロストリップ線路の中央部の短絡チューニングキャパシタの容量値Ｃtを減少させて、低域の減衰周波数ｆ１は一定のまま、高域の減衰周波数ｆ２を増加させることができる。
なお、通過中心周波数は、高域の減衰周波数ｆ２の変化に伴い、マイクロストリップ線路の中央部の短絡チューニングキャパシタの容量値Ｃtが増加すると、低域に移動し、マイクロストリップ線路の中央部の短絡チューニングキャパシタの容量値Ｃtが減少すると、高域に移動する。
また、通過帯域幅も、高域の減衰周波数ｆ２の変化に伴い、マイクロストリップ線路の中央部の短絡チューニングキャパシタの容量値Ｃtが増加すると、小さくなり、マイクロストリップ線路の中央部の短絡チューニングキャパシタの容量値Ｃtが減少すると、大きくなる。
【００２８】
図５は、マイクロストリップ線路の中央部の短絡チューニングキャパシタの容量値Ｃtを増加させることで、低域の減衰周波数ｆ１は一定のまま、高域の減衰周波数ｆ２を減少させ、また、マイクロストリップ線路の中央部の短絡チューニングキャパシタの容量値Ｃtを減少させて、低域の減衰周波数ｆ１は一定のまま、高域の減衰周波数ｆ２を増加させた例を示すグラフである。
図５（ａ）では、Ｚ=124[Ω]、θ=45[°]、Ｃ=1.11[pF] で、Ｃt=2[pF]のとき、低域の減衰周波数f1=1.44[GHz] 、高域の減衰周波数f2=2.62[GHz]であり、図５（ｂ）では、Ｃt=1.75[pF]のとき、低域の減衰周波数f1=1.42[GHz]、高域の減衰周波数f2=2.72[GHz]となった。
【００２９】
図６は、マイクロストリップ線路の両端部のチューニングキャパシタの容量値Ｃを変化させた場合、帯域通過フィルタの低域及び高域の減衰周波数の変化を示すグラフである。
マイクロストリップ線路の両端部のチューニングキャパシタの容量値Ｃを変化させると、低域の減衰周波数ｆ１も高域の減衰周波数ｆ２も変化する。
具体的には、マイクロストリップ線路の両端部のチューニングキャパシタの容量値Ｃが増加すると、低域及び高域の減衰周波数ｆ１，ｆ２が共に減少する。
【００３０】
そのため、マイクロストリップ線路の両端部のチューニングキャパシタの容量値Ｃを増加させることで、低域及び高域の減衰周波数ｆ１，ｆ２を減少させるか、または、マイクロストリップ線路の両端部のチューニングキャパシタの容量値Ｃを減少させて、低域及び高域の減衰周波数ｆ１，ｆ２を増加させることができる。
なお、通過中心周波数は、低域及び高域の減衰周波数ｆ１，ｆ２の変化に伴い、マイクロストリップ線路の両端部のチューニングキャパシタの容量値Ｃが増加すると、低域に移動し、マイクロストリップ線路の両端部のチューニングキャパシタの容量値Ｃが減少すると、高域に移動する。
ここで、通過帯域幅は、低域の減衰周波数ｆ１と高域の減衰周波数ｆ２の変化が同様であるので、マイクロストリップ線路の両端部のチューニングキャパシタの容量値Ｃが増減少しても、一定のままである。
【００３１】
図７は、マイクロストリップ線路の両端部のチューニングキャパシタの容量値Ｃを増加させることで、低域及び高域の減衰周波数ｆ１，ｆ２を減少させ、また、マイクロストリップ線路の両端部のチューニングキャパシタの容量値Ｃを減少させて、低域及び高域の減衰周波数ｆ１，ｆ２を増加させた例を示すグラフである。
図７（ａ）では、Ｚ=124[Ω]、θ=45[°]、Ｃt=1.75[pF]で、Ｃ=1.155[pF]のとき、低域の減衰周波数f1=1.4[GHz]、高域の減衰周波数f2=2.7[GHz]であり、図７（ｂ）では、Ｃ=0.546[pF]のとき、低域の減衰周波数f1=2.0[GHz]、高域の減衰周波数f2=3.14[GHz]となった。
【００３２】
このように、マイクロストリップ線路の中央部の短絡キャパシタの容量値Ｃtの増減による低域及び高域の減衰周波数ｆ１，ｆ２と、通過中心周波数と、通過帯域幅とへの影響と、マイクロストリップ線路の両端部のキャパシタの容量値Ｃの増減による低域及び高域の減衰周波数ｆ１，ｆ２と、通過中心周波数と、通過帯域幅とへの影響とに差異があるので、マイクロストリップ線路の中央部の短絡キャパシタの容量値Ｃtの調整と、マイクロストリップ線路の両端部のキャパシタの容量値Ｃの調整とを組み合わせることによって、通過中心周波数や通過帯域幅を自在に設定することができるようになる。
【００３３】
すなわち、マイクロストリップ線路の両端部のキャパシタの容量値Ｃを減少させると共に、マイクロストリップ線路の中央部の短絡キャパシタの容量値Ｃtを増加させることによって、通過中心周波数を一定にしたまま、通過帯域幅を小さくできる。
逆に、マイクロストリップ線路の両端部のキャパシタの容量値Ｃを増加させると共に、マイクロストリップ線路の中央部の短絡キャパシタの容量値Ｃtを減少させることによっては、通過中心周波数を一定にしたまま、通過帯域幅を大きくできる。
【００３４】
図８は、マイクロストリップ線路の両端部のキャパシタの容量値Ｃを減少させると共に、マイクロストリップ線路の中央部の短絡キャパシタの容量値Ｃtを増加させることによって、通過中心周波数を一定にしたまま、通過帯域幅を小さくし、また、マイクロストリップ線路の両端部のキャパシタの容量値Ｃを増加させると共に、マイクロストリップ線路の中央部の短絡キャパシタの容量値Ｃtを減少させることによって、通過中心周波数を一定にしたまま、通過帯域幅を大きくした例を示すグラフである。
図８（ａ）では、Ｚ=124[Ω]、θ=45[°]で、Ｃ=1.17[pF]、Ｃt=1.97[pF]のとき、低域の減衰周波数f1=1.4[GHz]、高域の減衰周波数f2=2.6[GHz]であり、図８（ｂ）では、Ｃ=1.93[pF]、Ｃt=0.985[pF]のとき、低域の減衰周波数f1=1.0[GHz]、高域の減衰周波数f2=3.0[GHz]となった。  
【００３５】
また、マイクロストリップ線路の両端部のキャパシタの容量値Ｃを増加させると共に、マイクロストリップ線路の中央部の短絡キャパシタの容量値Ｃtは一定とすることによって、通過帯域幅を一定にしたまま、通過中心周波数を減少させられる。  逆に、マイクロストリップ線路の両端部のキャパシタの容量値Ｃを減少させると共に、マイクロストリップ線路の中央部の短絡キャパシタの容量値Ｃtは一定とすることによっては、通過帯域幅を一定にしたまま、通過中心周波数を増加させられる。
なお、マイクロストリップ線路の中央部の短絡キャパシタの容量値Ｃtの具体的な調整値と、マイクロストリップ線路の両端部のキャパシタの容量値Ｃの具体的な調整値は、具体的な回路毎に設定される。
【００３６】
図９は、３ｄＢ通過帯域幅の定義を示す説明図である。
通過帯域幅は、フィルタの伝達特性値が−３ｄＢとなる周波数範囲を、通過中心周波数で割った値として定義される。
【００３７】
図１０は、３ｄＢ比帯域周波数決定方程式の確認例を示すグラフである。  ３ｄＢ通過帯域周波数は、次式を満たす周波数となる。
【００３８】
【数１】
2015019301.tif 000006
【００３９】
【数２】
2015019301.tif 000007
【００４０】
ここで、Ｚは、マイクロストリップ線路の特性インピーダンス、θは、マイクロストリップ線路の電気角、Ｚ0は、外部インピーダンスである。  
【００４１】
図１１は、整合周波数決定方程式の確認例を示すグラフである。  通過中心周波数は、次式を満たす周波数となる。  
【００４２】
【数３】
2015019301.tif 000008
【産業上の利用可能性】
【００４３】
本発明のチューナブル帯域通過フィルタ及びその調整方法によると、製造容易で小型安価でありながらも安定した性能を有し、通過中心周波数や通過帯域幅を自在に調整することができる。そのため、携帯基地局、地上デジタル放送基地局、地上デジタル放送中継器、無線通信機器、携帯電話端末などの通信システムに組み込んで利用される。また、狭帯域無通信システムは距離計測に優れた特性を有することから、各種測定装置に組み入れて利用することもでき、産業上利用価値が高い。
【図１】
2015019301.tif 000012
【図２】
2015019301.tif 000013
【図３】
2015019301.tif 000014
【図４】
2015019301.tif 000015
【図５ａ】
2015019301.tif 000016
【図５ｂ】
2015019301.tif 000017
【図６】
2015019301.tif 000018
【図７ａ】
2015019301.tif 000019
【図７ｂ】
2015019301.tif 000020
【図８ａ】
2015019301.tif 000021
【図８ｂ】
2015019301.tif 000022
【図９】
2015019301.tif 000023
【図１０】
2015019301.tif 000024
【図１１】
2015019301.tif 000025